(57)【特許請求の範囲】
【請求項１】
太陽光を受光して発電する受光部と、前記受光部を支持体から離間した位置に配置するフレーム部と、を有する複数のソーラー発電パネルと、
一部の前記ソーラー発電パネルの前記支持体側に配置され、太陽熱を集熱して流体を加熱する集熱部と、前記集熱部を収容する凹部を備える断熱部と、前記凹部を被覆する断熱ガラス部と、前記断熱部を前記支持体に取り付ける台座部と、を有するソーラー温水パネルと、を備えるソーラーシステムであって、
前記複数のソーラー発電パネルのうち、前記支持体側に前記ソーラー温水パネルが設置されたソーラー発電パネルは、光透過性を有し、
前記フレーム部は、前記支持体側に開口部を有する枠状に形成され、
前記ソーラー温水パネルは、前記開口部の内側に配置され、
前記フレーム部と前記台座部とは別体に形成され、互いに独立して前記支持体に取り付けられ、
前記台座部は、前記断熱部の周囲を囲う立壁と、前記立壁の下端から外側に延出し前記支持体に取り付けられた外フランジと、立壁の上下方向の中間部位から内側に延出し前記断熱部の底面を支持する内フランジと、を備え、
前記フレーム部は、前記支持体上に互いに離間して配置された支持ブロック上に架設された下地フレームの上に固定されることで、前記支持体から離間して配置され、
前記複数のソーラー発電パネルは、前記複数のソーラー発電パネルの間の目地を覆い下面に弾性シール材を備えるカバー部材と前記下地フレームとをボルト及びナットで締結することで前記支持体に固定されていることを特徴とするソーラーシステム。
【請求項２】
一枚の前記ソーラー発電パネルの前記支持体側に複数の前記ソーラー温水パネルが配置されており、前記複数のソーラー温水パネルの通水管同士は、ワンタッチコネクタで連結されていることを特徴とする請求項１に記載のソーラーシステム。
【請求項３】
前記ソーラー発電パネルは、複数の光発電素子と、前記複数の光発電素子を挟持する一対の光透過性を有する板状部材と、を備えてなり、
前記複数の光発電素子は、互いに隙間を空けて配置されていることを特徴とする請求項１又は請求項２に記載のソーラーシステム。
【発明の詳細な説明】
【技術分野】
【０００１】
本発明は、ソーラー発電パネルとソーラー温水パネルとを組み合わせたソーラーシステムに関する。
【背景技術】
【０００２】
一般に、ソーラー発電パネルやソーラー温水パネルなどの太陽光パネルは、屋根上に設置されることが多い。ソーラー発電パネルもソーラー給湯パネルも、発電効率又は温水生成効率を高めるために日当たりのよい場所に設置したいという要請があるが、日当たりのよい場所は限られているため、同じ屋根上に両者を設置する場合は、電気使用量や温水使用量に基づいて両者のレイアウトを最適化する必要がある。
また、ソーラー発電パネルとソーラー温水パネルは、従来、別々の規格（寸法）で製造されているため、ソーラー発電パネルとソーラー温水パネルを同じ屋根面に整列して配置することは困難であった。そのため、屋根の美観（統一感）が損なわれてしまい、ソーラー発電パネルとソーラー温水パネルとを組み合わせたソーラーシステムの普及の障害となっていた。
【０００３】
なお、特許文献１には、太陽電池モジュールを備えた太陽光発電部と、この太陽光発電部の上に設けられた集熱給湯部と、を備える太陽光パネルが開示されている。集熱給湯部は、一対の透明な強化ガラス板の間を仕切り板で蛇行するように仕切り、そこに流体を流すことで、太陽光発電部に光を通しながら流体を加熱するように構成されている。
【０００４】
一方、特許文献２には、流体が通流する集熱体の周囲及び底部を断熱材で覆うとともに、集熱体の上方を真空複層ガラスで被覆した太陽熱温水器（ソーラー温水パネル）が開示されている。この太陽熱温水器では、集熱体の外表面をブラッククロム、ブラックニッケルなどの吸熱材料で被覆すると共にその周囲を断熱材で密閉することで吸熱効率を高めている。
【先行技術文献】
【特許文献】
【０００５】
【特許文献１】特開２００６−０７８００７号公報（段落００１８、図１、図２）
【特許文献２】特開２００４−１７６９６６号公報（図２、図３）
【発明の概要】
【発明が解決しようとする課題】
【０００６】
しかし、特許文献１に記載の太陽光パネルは、同一箇所での太陽光発電と温水生成を可能としているものの、集熱給湯部を透明に構成する必要があるため、特許文献２に記載の一般的な太陽熱温水器に比較して吸熱効率が低下してしまうという問題がある。
【０００７】
また、一般的な住宅においては、ソーラー発電パネルとソーラー温水パネルの必要枚数は大きく異なることが多い。例えば、平均的な戸建住宅では、通常３ｋＷ前後の発電容量を得るために出力２００Ｗ程度のソーラー発電パネルで約１５枚の設置が必要なのに対し、温水利用に必要なソーラー温水パネルの設置枚数は通常２〜３枚程度となり、設置枚数の差が大きい。ところが、特許文献１に記載の太陽光パネルだけでは、両者の数量を調節することができない。そのため、必然的に特許文献１に記載の太陽光パネルと他のソーラー発電パネルやソーラー温水パネルとを組み合わせて使用することになるが、その場合、やはり屋根の美観を損なわずに両者をレイアウトするのが困難であった。
【０００８】
本発明は、前記の問題を解決するためになされたものであり、太陽光発電と温水生成とを効率よく行なうことができると共にレイアウト性に優れたソーラーシステムを提供することを課題とする。
【課題を解決するための手段】
【０００９】
前記課題を解決するための本発明は、太陽光を受光して発電する受光部と、前記受光部を支持体から離間した位置に配置するフレーム部と、を有する複数のソーラー発電パネルと、一部の前記ソーラー発電パネルの前記支持体側に配置され、太陽熱を集熱して流体を加熱する集熱部と、前記集熱部を収容する凹部を備える断熱部と、前記凹部を被覆する断熱ガラス部と、前記断熱部を前記支持体に取り付ける台座部と、を有するソーラー温水パネルと、を備えるソーラーシステムであって、前記複数のソーラー発電パネルのうち、前記支持体側に前記ソーラー温水パネルが設置されたソーラー発電パネルは、光透過性を有し、前記フレーム部は、前記支持体側に開口部を有する枠状に形成され、前記ソーラー温水パネルは、前記開口部の内側に配置され、前記フレーム部と前記台座部とは別体に形成され、互いに独立して前記支持体に取り付けられ、前記台座部は、前記断熱部の周囲を囲う立壁と、前記立壁の下端から外側に延出し前記支持体に取り付けられた外フランジと、立壁の上下方向の中間部位から内側に延出し前記断熱部の底面を支持する内フランジと、を備え、前記フレーム部は、前記支持体上に互いに離間して配置された支持ブロック上に架設された下地フレームの上に固定されることで、前記支持体から離間して配置され、前記複数のソーラー発電パネルは、前記複数のソーラー発電パネルの間の目地を覆い下面に弾性シール材を備えるカバー部材と前記下地フレームとをボルト及びナットで締結することで前記支持体に固定されていることを特徴とするソーラーシステムである。
【００１０】
このような構成によれば、光透過性を有するソーラー発電パネルの支持体側に、ソーラー温水パネルを備えているので、ソーラー温水パネルを透明に構成する必要がなく、吸熱効率を高めることができる。また、複数のソーラー発電パネルのうち支持体側にソーラー温水パネルを設置するソーラー発電パネルを、光透過性を有するソーラー発電パネルにすることで、任意の位置にソーラー温水パネルを設置することができるので、使用する建物や家族構成や使用者の生活パターンなどを考慮してレイアウトを最適化するのが容易になる。さらに、ソーラー温水パネルがソーラー発電パネルによって被覆された状態となり、外観上はソーラー発電パネルだけが整列しているように見えるので、屋根の美観（統一感）を向上させることができる。
【００１１】
また、本発明は、一枚の前記ソーラー発電パネルの前記支持体側に複数の前記ソーラー温水パネルが配置されており、前記複数のソーラー温水パネルの通水管同士は、ワンタッチコネクタで連結されている構成とするのが好ましい。
【００１２】
このような構成によれば、一つのソーラー温水パネルを小型化、軽量化することができるので、ソーラー温水パネルの設置作業が容易になる。また、複数のソーラー温水パネルの通水管同士が、ワンタッチコネクタで連結されているので、止水のための特別な技能を有する作業員（配管工）でなくても、ソーラー温水パネルの取付工事を容易に行なうことができる。そのため、例えばソーラー発電パネルとソーラー温水パネルを同一の作業員が容易かつ確実に取り付けることができる。また、一枚のソーラー発電パネルの大きさに合わせて、その下に設置するソーラー温水パネルの設置数を変更することができるので、ソーラー発電パネルの大きさに合わせてソーラー温水パネルのレイアウトを容易に変更することができる。
【００１３】
また、本発明のソーラー発電パネルは、複数の光発電素子と、前記複数の光発電素子を挟持する一対の光透過性を有する板状部材と、を備えてなり、前記複数の光発電素子は、互いに隙間を空けて配置されている構成とするのが好ましい。
【００１４】
このような構成のソーラー発電パネルによれば、複数の光発電素子の間の隙間から光を透過させてソーラー温水パネルに吸熱させることができる。なお、薄膜シリコンなどで形成した透明な光発電素子を用いることで、ソーラー発電パネルの受光部全体を透明又は半透明にしてもよい。これにより、ソーラー温水パネルの温水生成効率を一層向上させることができる。
【発明の効果】
【００１５】
本発明によれば、太陽光発電と温水生成とを効率よく行なうことができると共にレイアウト性に優れたソーラーシステムを提供することができる。
【図面の簡単な説明】
【００１６】
【図１】本実施形態に係るソーラーシステムを屋根上にを設置した状態を示した斜視図である。
【図２】光透過性を有するソーラー発電パネルの分解斜視図である。
【図３】図１のＩ−Ｉ線断面図である。
【図４】ソーラー温水パネルの断面図である。
【図５】ワンタッチコネクタの構造図であり、（ａ）は接続前、（ｂ）は接続後の状態を示している。
【図６】変形例に係るソーラーシステムを屋根上にを設置した状態を示した斜視図である。
【発明を実施するための形態】
【００１７】
本発明の実施形態について、図面を参照して詳細に説明する。本実施形態では、勾配屋根上にソーラーシステムを設置した場合を例に挙げて説明する。説明において、同一の要素には同一の符号を付し、重複する説明を省略する。
【００１８】
図１に示すように、ソーラーシステム１は、太陽光を利用して発電と温水生成とを行なう装置であり、支持体である屋根Ｒの上に設置されている。ソーラーシステム１は、屋根Ｒから上方に離間した位置に整列配置された複数のソーラー発電パネル１０と、一部のソーラー発電パネル１０の下側（屋根Ｒ側）に設置されたソーラー温水パネル２０と、を有している。
【００１９】
ソーラー発電パネル１０は、太陽光によって発電を行なう部材であり、屋根Ｒの勾配方向Ｘと、屋根面に沿って勾配方向Ｘと直交する直交方向Ｙに沿って、それぞれ複数枚配置されている。本実施形態では、勾配方向Ｘの３列と直交方向Ｙの４列とで合計１２枚のソーラー発電パネル１０が整列配置されている。勾配方向Ｘまたは直交方向Ｙに隣り合うソーラー発電パネル１０，１０間には、所定間隔の幅を備えた目地Ｍ（図３参照）が形成されている。この目地Ｍには、目地止水部材４０が装着されている。ソーラー発電パネル１０は、屋根Ｒ上に敷設された下地フレーム３０（図３参照）上に固定されている。本実施形態では、ソーラー温水パネル２０の上に設置されたソーラー発電パネル１０は光透過性を有しており、その他のソーラー発電パネル１０は光透過性を有していない。ちなみに、すべてのソーラー発電パネル１０を光透過性を有するものにしてもよい。
【００２０】
図２に示すように、光透過性を有するソーラー発電パネル１０は、太陽光を受光する受光部１１と、この受光部１１を支持するフレーム部１５と、を備えている。受光部１１は、光透過性を有する板状部材である一対の強化ガラス板１２，１３と、この一対の強化ガラス板１２，１３の間に狭持された複数の光発電素子１４と、を有している。複数の光発電素子１４は、互いに隙間Ｓを空けて正方格子状に配置されている。太陽光はこの隙間Ｓを透過する。
フレーム部１５は、平面視で長方形状を呈する枠状の部材であり、例えばアルミニウム製またはステンレス製のプレート材、あるいは防錆処理が施された鋼製プレートなどで構成されている。フレーム部１５は、四角枠状の周壁１６と、周壁１６の上下端部から枠の内側に向かって延出する上フランジ１７と下フランジ１８と、を有している。受光部１１は、フレーム部１５の内部に配置されて上フランジ１７の下側に取り付けられている（図３参照）。
なお、光透過性を有していないソーラー発電パネル１０は、図２に示す光透過性を有するソーラー発電パネル１０の下側の強化ガラス板１３を、光透過性を有していない他の部材（例えばプラスティックフィルムなど）に置き換えた構造となる。
【００２１】
図３に示すように、ソーラー発電パネル１０は、屋根Ｒの表面材Ｒ１上に配置された支持ブロックＲ３上に固定された下地フレーム３０上に固定されている。下地フレーム３０は、直交方向Ｙに沿って延在して配置されている。下地フレーム３０の長手方向両端部の下には、支持ブロックＲ３がそれぞれ配置されている。下地フレーム３０は、アルミニウム製またはステンレス製のプレート、あるいは防錆処理が施された鋼製プレートを屈曲させて形成されており、幅方向中間部を中心として対称形状になっている。下地フレーム３０の幅方向中間部には、上方に突出する突条３１が形成されている。突条３１の上面には、目地止水部材４０を固定するためのボルト用孔３１ａが形成されている。ボルト用孔３１ａは、下地フレーム３０の長手方向に延びる長孔にて構成されており、下地フレーム３０の長手方向両端部に形成されている。突条３１の両側には、幅方向両端に広がってソーラー発電パネル１０を下方から支持する支持部３２，３２が形成されている。ソーラー発電パネル１０は、フレーム部１５の底面が支持部３２の上面に接触して載置される。支持部３２には、溝部３３が形成されており、この溝部３３の底面が支持ブロックＲ３上に接触して、下地フレーム３０が載置される。溝部３３は、補強リブの役目を果たしている。溝部３３の底面には、下地フレーム３０を屋根Ｒに固定するためのネジ孔３３ａが形成されている。ネジ孔３３ａには、上方からネジ３４が挿入される。ネジ３４は、屋根Ｒの表面材Ｒ１を貫通して、その先端部が垂木などの屋根下地材Ｒ２に螺合されている。
【００２２】
図３に示すように、目地止水部材４０は、目地Ｍを止水する部材であって、目地Ｍを覆うカバー部材４１と、このカバー部材４１とソーラー発電パネル１０との間に介設される弾性シール材４５とを備えている。カバー部材４１は、アルミニウム製またはステンレス製のプレート材、あるいは防錆処理が施された鋼製プレートにて構成されている。カバー部材４１は、表面部４２と挿入部４３とを備えてなる。カバー部材４１は、表面部４２に挿入部４３を接合して形成してもよいし、押出形材にて一体形成してもよい。また一枚のプレートを折曲加工して形成してもよい。
【００２３】
表面部４２は、目地Ｍに沿って延在しており、板状に形成されている。表面部４２の幅方向両端部が、目地Ｍとともに目地Ｍの両側のソーラー発電パネル１０，１０の上フランジ１７，１７の表面を覆う。表面部４２には、目地止水部材４０を下地フレーム３０に固定するためのボルト用孔４４が形成されている。ボルト用孔４４は、表面部４２の幅方向中間部に位置し、表面部４２の長手方向両端部にそれぞれ形成されている。
【００２４】
挿入部４３は、表面部４２の裏面から突出して目地Ｍの内部に挿入される部位である。挿入部４３は、表面部４２の裏面に対して直交する一対のプレートからなる。ソーラー発電パネル１０と挿入部４３の間には、弾性シール材４５が適度な応力で圧縮された状態で配置されている。
【００２５】
弾性シール材４５は、弾性を有するゴム（例えばブチルゴム）あるいは樹脂にて構成されており、カバー部材４１の長手方向に沿って延在している。弾性シール材４５は、カバー部材４１の表面部４２の裏面と挿入部４３の側面の両面に接しており、接着剤によって固定されている。弾性シール材４５は、目地止水部材４０が目地Ｍに装着された状態で、ソーラー発電パネル１０の周壁１６と挿入部４３によって押圧されている。このとき、弾性シール材４５は、断面Ｌ字状を呈し、表面部４２の裏面に沿った部分と、挿入部４３の側面に沿った部分とを備えて構成される。
【００２６】
図１に示すように、ソーラー温水パネル２０は、中央の２枚のソーラー発電パネル１０，１０の下方の屋根Ｒ上にそれぞれ１枚ずつ配置されている。ソーラー温水パネル２０は、ソーラー発電パネル１０と別体に構成されている。各ソーラー温水パネル２０には、通水管である給水パイプ２５と送水パイプ２６とが接続されている。一方のソーラー温水パネル２０の送水パイプ２６は、他方のソーラー温水パネル２０の給水パイプ２５に、ワンタッチコネクタ５０を介して連結されている。
【００２７】
図４に示すように、ソーラー温水パネル２０は、赤外線などの太陽光（太陽熱）を集熱して温水を生成する装置であり、集熱部２１と、断熱部２２と、断熱ガラス部２３と、台座部２４と、を備えている。
【００２８】
集熱部２１は、太陽熱を集熱して流体（水）を加熱する部材である。集熱部２１の外表面は、例えばブラッククロム、ブラックニッケルなどの吸熱材料でコーティングされている。集熱部２１は、流体が通流する通路部２１ａを有している。通路部２１ａは、図示は省略するが、平面視して蛇行するように配置されている。通路部２１ａの一端側には給水パイプ２５が接続され、通路部２１ａの他端側には送水パイプ２６が接続されている。
【００２９】
断熱部２２は、集熱部２１の周囲を断熱して保温する部材であり、例えば発泡ウレタンなどの断熱材料で構成されている。断熱部２２は、集熱部２１の下側に配置された底壁２２ａと、底壁２２ａの周囲に立設した周壁２２ｂと、を有している。集熱部２１は、底壁２２ａと周壁２２ｂによって形成された凹部２２ｃの内部に配置されている。
【００３０】
断熱ガラス部２３は、集熱部２１の上方に配置されて、凹部２２ｃを密閉する透明な部材である。図示は省略するが、断熱ガラス部２３は、例えば、一対の強化ガラスの間に真空層を備えて構成されている。ソーラー発電パネル１０を透過した太陽光は、断熱ガラス部２３をさらに透過して集熱部２１の外表面を加熱する。断熱部２２と断熱ガラス部２３によって、集熱部２１の周囲は保温された状態となる。これにより、集熱部２１に通水された冷水を効率よく加熱することができる。
【００３１】
台座部２４は、ソーラー温水パネル２０を支持体である屋根Ｒに取り付けるための略枠状の部材であり、例えばアルミニウム製またはステンレス製のプレート材、あるいは防錆処理が施された鋼製プレートなどで構成されている。台座部２４は、断熱部２２の下側の周囲を囲う立壁２４ａと、立壁２４ａの下端から外側に延出する外フランジ２４ｂと、立壁２４ａの上下方向の中間部位から内側に延出する内フランジ２４ｃと、を有している。内フランジ２４ｃは断熱部２２の底面に接着剤などで固定されている。外フランジ２４ｂは、ビス２７などで屋根Ｒに固定されている（図３参照）。
【００３２】
図５（ａ）に示すように、ワンタッチコネクタ５０は、送水パイプ２６の先端に取り付けられており、給水パイプ２５を差し込むだけで両者を連結する機能を有している。ワンタッチコネクタ５０は、本体部５１と、シリンダ５２と、チャックリング５３と、Ｏリング５４と、付勢機構５５と、を主に有している。
【００３３】
本体部５１は、略円筒形状部材であり、その基端側には送水パイプ２６が挿入されている。本体部５１の先端側には、給水パイプ２５に挿入される挿入部５１ａが設けられている。挿入部５１ａは、シリンダ５２で被覆されている。給水パイプ２５は、挿入部５１ａとシリンダ５２の間に挿入される。シリンダ５２の先端側（給水パイプ２５側）には、先端に向かうほど小径となるテーパー部５２ａが設けられている。シリンダ５２の内部には、先端側から順に、チャックリング５３と、Ｏリング５４と、付勢機構５５と、が配置されている。
【００３４】
チャックリング５３は、断面視で楔形をしたリング状部材であり、後記する付勢機構５５によってシリンダ５２の先端側に移動することによって縮径し、給水パイプ２５の外周面に係合して給水パイプ２５を固定する部材である。
Ｏリング５４は、給水パイプ２５の外周面とシリンダ５２の内周面の間を止水する部材である。なお、挿入部５１ａの外周面と給水パイプ２５の内周面の間にも他のＯリング５４ａが装着されている。
【００３５】
付勢機構５５は、給水パイプ２５が挿入されたときにチャックリング５３とＯリング５４とを先端側に移動させる機能を有している。付勢機構５５は、コイルスプリング５６と、コイルスプリング５６を圧縮状態に保持するスプリングホルダ５７と、スプリングホルダ５７の移動を押さえるサポートリング５８と、を主に有している。
【００３６】
スプリングホルダ５７は、先端側にフランジ５７ａを有する筒状部材である。スプリングホルダ５７の基端側には、段差部５７ｂが設けられている。ワンタッチコネクタ５０に給水パイプ２５を装着する前の状態では、コイルスプリング５６は、スプリングホルダ５７に圧縮状態で保持されている。コイルスプリング５６の先端側はフランジ５７ａに係止されており、コイルスプリング５６の基端側はワッシャ５６ａを介して段差部５７ｂに係止されている。サポートリング５８は、スプリングホルダ５７の段差部５７ｂの内側に配置されており、段差部５７ｂがワッシャ５６ａから外れないように押さえている。Ｏリング５４とスプリングホルダ５７の間にはロックリング５９が配置されている。
【００３７】
図５（ｂ）に示すように、挿入部５１ａとシリンダ５２の間に給水パイプ２５を挿入すると、給水パイプ２５の端部がサポートリング５８に当接する。さらに給水パイプ２５を押し込むと、スプリングホルダ５７の段差部５７ｂの移動を押さえていたサポートリング５８が基端側に移動する。そうすると、スプリングホルダ５７の段差部５７ｂが径方向内側に移動し、段差部５７ｂとワッシャ５６ａの係合状態が解除される。これにより、圧縮状態に保持されていたコイルスプリング５６が伸張し、チャックリング５３及びＯリング５４が先端側に移動する。先端側に移動したチャックリング５３及びＯリング５４は、シリンダ５２の５２ａに案内されて縮径し、給水パイプ２５が固定されるとともに止水されることとなる。
【００３８】
本実施形態に係るソーラーシステム１は、基本的に以上のように構成されるものであり、次に、ソーラーシステム１の作用効果について説明する。
【００３９】
本実施形態に係るソーラーシステム１によれば、光透過性を有するソーラー発電パネル１０の下側に、ソーラー温水パネル２０を備えているので、ソーラー温水パネル２０を透明に構成する必要がなく、吸熱効率を高めることができる。
【００４０】
また、複数のソーラー発電パネル１０のうち下側にソーラー温水パネル２０を設置する部分を光透過性を有するソーラー発電パネル１０にすることで、任意の位置にソーラー温水パネル２０を設置することができる。そのため、ソーラー温水パネル２０を最適な位置にレイアウトすることができ、発電効率と温水生成効率をバランスよく高めることができる。
【００４１】
さらに、ソーラー温水パネル２０がソーラー発電パネル１０によって被覆された状態となり、外観上はソーラー発電パネル１０だけが整列しているように見えるので、屋根Ｒの美観（統一感）を向上させることができる。
【００４２】
また、光透過性を有するソーラー発電パネル１０によれば、複数の光発電素子１４の間の隙間Ｓから光を透過させてソーラー温水パネル２０に吸熱させることができる。また、光発電素子１４同士の間隔（隙間Ｓの大きさ）を調整することで、光透過率を調整することができる。
【００４３】
また、ソーラー温水パネル２０同士がワンタッチコネクタ５０で接続されているので、配管工などの特別な技術を有する作業員でなくても、ソーラー温水パネル２０同士を容易に接続することができる。そのため、ソーラーシステム１の施工の作業効率を向上させることができる。
【００４４】
以上、本発明を実施するための形態について説明したが、本発明は前記実施形態に限定されず、本発明の趣旨を逸脱しない範囲で適宜設計変更が可能である。
【００４５】
例えば、前記実施形態では、１枚のソーラー発電パネル１０の下に１枚のソーラー温水パネル２０を配置したが、本発明はこれに限られるものではなく、１枚のソーラー発電パネル１０の下に小ユニット化した複数のソーラー温水パネル２０を配置してもよい。
【００４６】
図６は、変形例に係るソーラーシステムの斜視図である。
図６に示すように、変形例に係るソーラーシステム１は、１枚のソーラー発電パネル１０の下に、小ユニット化した２枚のソーラー温水パネル２０を有している。小ユニット化したソーラー温水パネル２０同士は、ワンタッチコネクタ５０で接続されている。
【００４７】
このように構成すれば、ソーラー発電パネル１０に比較して質量が大きくなりやすいソーラー温水パネル２０を小型化することができるので、ソーラー温水パネル２０の設置作業が容易になる。また、小型化したソーラー温水パネル２０同士がワンタッチコネクタ５０で接続されているので、両者を容易に接続することができる。
【００４８】
また、ソーラー温水パネル２０を小ユニット化することで、ソーラー発電パネル１０のサイズに合わせてその下に設置するソーラー温水パネル２０の数を変更することができる。そのため、ソーラーシステム１のレイアウト性を一層向上させることができる。
【００４９】
また、ソーラー温水パネル２０を小型化することで、ソーラー発電パネル１０のフレーム部１５や目地止水部材４０によって影ができ易い位置や、外部の構造物や樹木によって影ができ易い位置を避けて、ソーラー温水パネル２０をレイアウトすることが容易になる。換言すれば、日照効率がよい範囲が影によって小さく区切られていても、その範囲毎に小型化したソーラー温水パネル２０を配置することができる。そのため、ソーラー温水パネル２０を効率よく配置して温水生成効率を向上させることができる。
【００５０】
また、本実施形態では、ソーラーシステム１を建物の屋根Ｒに設置したが、本発明はこれに限定されるものではなく、建物の壁面に設置してもよいし、地面上に設置してもよいことはいうまでもない。
【００５１】
また、本実施形態では、光透過性を有する板状部材として強化ガラス板１２，１３を採用したが、本発明はこれに限定されるものではなく、例えば、透明なアクリル板や透明なプラスティックフィルムなど、光透過性を有する他の材質の部材を使用してもよい。なお、上側に配置される板状部材は、太陽光（紫外線）による劣化の少ないガラス製の部材を用いるのが好ましい。
【符号の説明】
【００５２】
１      ソーラーシステム
１０    ソーラー発電パネル
１１    受光部
１２    強化ガラス板
１４    光発電素子
１５    フレーム部
１６    周壁
１７    上フランジ
１８    下フランジ
２０    ソーラー温水パネル
２１    集熱部
２１ａ  通路部
２２    断熱部
２３    断熱ガラス部
２４    台座部
２５    給水パイプ
２６    送水パイプ
３０    下地フレーム
３１    突条
３２    支持部
３３    溝部
４０    目地止水部材
５０    ワンタッチコネクタ
Ｒ      屋根
【図１】
0005890970.tif 000002
【図２】
0005890970.tif 000003
【図３】
0005890970.tif 000004
【図４】
0005890970.tif 000005
【図５】
0005890970.tif 000006
【図６】
0005890970.tif 000007